(57)【特許請求の範囲】
【請求項１】
無接点充電器によって充電される移動体端末であって、
前記無接点充電器は、複数の送電回路と、前記複数の送電回路によって共用されるとともに前記複数の送電回路のうちから選択された１つの送電回路から電力の供給を受ける送電用のコイルとを有しており、
前記移動体端末は、
充電が可能なバッテリと、
前記移動体端末と通信可能な通信機器から送信される電波の受信品質を検出する検出部と、
前記移動体端末が前記無接点充電器に載置されている状態で前記コイルに対して前記複数の送電回路の各々から個別に電力が供給されたことに基づき、前記複数の送電回路のうちから、前記受信品質が最も高くなったときに前記コイルに対して電力を供給していた送電回路を特定する特定部とを備え、
前記移動体端末は、前記特定が行われた後は、前記コイルに対する電力を前記特定された送電回路に供給させる、移動体端末。
【請求項２】
前記移動体端末は、
前記特定を行なうために、前記複数の送電回路の各々から個別に電力を供給させるための第１の通知を、前記無接点充電器に対して送信し、
前記特定が行われたことに基づき、前記受信品質が最も高くなったときに前記電力を供給していた前記送電回路に前記電力を再度供給させるための第２の通知を、前記無接点充電器に対して送信する、請求項１に記載の移動体端末。
【請求項３】
前記特定部は、前記コイルに対して最後の順の前記送電回路から電力が供給されるまでに予め定められた値以上の受信品質が検出されていないことを条件に、前記特定を行ない、
前記移動体端末は、前記予め定められた値以上の受信品質が検出された後には、前記コイルに対する電力を、前記予め定められた値以上の受信品質が検出されたときに前記コイルに対して電力を供給していた前記送電回路に供給させる、請求項１または２に記載の移動体端末。
【請求項４】
移動体端末を充電するための無接点充電器であって、
制御回路と、
複数の送電回路と、
前記複数の送電回路によって共用されるとともに、前記複数の送電回路のうちから前記制御回路によって選択された１つの送電回路から電力の供給を受ける送電用のコイルとを備え、
前記制御回路は、前記移動体端末からの、受信品質が閾値以上である前記送電回路を駆動させるための通知、または前記受信品質が最も高くなった前記送電回路を駆動させるための通知に基づき、前記複数の送電回路のうちから前記移動体端末の充電に使用する送電回路を選択し、
前記選択された送電回路は、前記コイルに対して前記電力を供給する、無接点充電器。
【請求項５】
移動体端末を充電するための無接点充電器であって、
前記移動体端末を載置するための主面と、
複数の送電回路と、
前記複数の送電回路によって共用されるとともに、前記複数の送電回路のうちから選択された１つの送電回路から電力の供給を受ける送電用のコイルと、
前記送電用のコイルに電力を供給するために前記複数の送電回路の各々を駆動させる制御部と、
前記移動体端末が主面に載置された場合に、前記移動体端末の位置に応じた信号を前記
制御部に出力する出力部とを備え、
前記制御部は、
前記出力部からの出力に基づき、前記移動体端末の位置を検出し、
前記複数の送電回路のうち、前記検出された位置から最も離れた位置の送電回路を駆動させる、無接点充電器。
【発明の詳細な説明】
【技術分野】
【０００１】
本発明は、通信機能を有する移動体端末および移動体端末を充電するための無接点充電器に関する。
【背景技術】
【０００２】
従来、スマートフォン等の移動体端末を充電するための充電器が知られている。
たとえば、特許文献１には、このような充電器に関する発明が開示されている。具体的には、特許文献１の充電器は、移動体端末が充電中に基地局からの信号を受信した場合、移動体端末から受信動作中である旨の信号を受信する。充電器は、当該信号を受信すると、充電回路の一部または全部の動作を停止させる。これにより、移動体端末が充電中に基地局からの信号を受信した場合であっても、充電器が発生するノイズを低減できる。それゆえ、上記信号の受信品質の低下を防ぐことが可能となる。
【０００３】
また、従来、移動体端末をワイヤレスで充電する無接点充電器が知られている。
【先行技術文献】
【特許文献】
【０００４】
【特許文献１】特開２００８−１３１８１２号公報
【発明の概要】
【発明が解決しようとする課題】
【０００５】
しかしながら、特許文献１の充電器は、充電回路の一部または全部の動作を停止させるため、充電回路の動作を停止しない構成（すなわち、充電を中断しない構成）に比べて、移動体端末の充電に要する時間が長くなってしまう。
【０００６】
本願発明は、上記の問題点に鑑みなされたものであって、その目的は、充電中であっても基地局等の通信機器から送られてくる信号の受信品質の低下を軽減可能な移動体端末、および無接点充電器を提供することにある。
【課題を解決するための手段】
【０００７】
本発明のある局面に従うと、移動体端末は、無接点充電器によって充電される。無接点充電器は、複数の送電回路と、複数の送電回路によって共用されるとともに複数の送電回路のうちから選択された１つの送電回路から電力の供給を受ける送電用のコイルとを有している。移動体端末は、充電が可能なバッテリと、移動体端末と通信可能な通信機器から送信される電波の受信品質を検出する検出部と、移動体端末が無接点充電器に載置されている状態でコイルに対して複数の送電回路の各々から個別に電力が供給されたことに基づき、複数の送電回路のうちから、受信品質が最も高くなったときにコイルに対して電力を供給していた送電回路を特定する特定部とを備える。移動体端末は、特定が行われた後は、コイルに対する電力を特定された送電回路に供給させる。
【発明の効果】
【０００８】
本発明によれば、充電中であっても基地局等の通信機器から送られてくる信号の受信品質の低下を軽減可能となる。
【図面の簡単な説明】
【０００９】
【図１】本発明の実施の形態１に係る無接点充電器１の使用方法を示す平面図である。
【図２】無接点充電器１のハードウェア構成を表したブロック図である。
【図３】移動体端末２の機能的構成およびハードウェア構成を説明するためのブロック図である。
【図４】移動体端末２における処理の流れを説明するためのフローチャートである。
【図５】本発明の実施の形態２に係る無接点充電器１Ａの使用方法を示す平面図である。
【図６】無接点充電器１Ａのハードウェア構成を表したブロック図である。
【図７】無接点充電器１Ａにおける処理の流れを説明するためのフローチャートである。
【図８】無接点充電器１Ａの処理の流れを説明するためのフローチャートである。
【図９】移動体端末２の処理の流れを説明するためのフローチャートである。
【発明を実施するための形態】
【００１０】
以下、図面を参照しつつ、本発明の各実施の形態に係る、移動体端末および無接点充電器（非接触充電器）について説明する。また、以下の説明では、同一の部材には同一の参照符号を付してある。それらの名称および機能も同じである。したがって、それらについての詳細な説明は繰り返さない。
【００１１】
なお、移動体端末としては、たとえば、スマートフォン、フィーチャーフォン、タブレット端末、ファブレット端末が挙げられる。なお、移動体端末は、これらに限定されず、通信機能と充電可能なバッテリ（二次電池）とを有するものであればよい。
【００１２】
また、以下では、移動体端末は、通信可能な相手の通信機器の一例として、基地局（典型的には、当該移動体端末が在圏する基地局）と通信するように構成されているものとする。
【００１３】
［実施の形態１］
図１は、本実施の形態に係る無接点充電器１の使用方法を示す平面図である。図１を参照して、無接点充電器１は、複数の送電回路１１１，１１２，１１３，１１４と、コイル１２０と、プラグ１３０とを備えている。
【００１４】
複数の送電回路１１１〜１１４は、無接点充電器１の筐体１００内に備えられている。複数の送電回路１１１〜１１４は、コイル１２０に接続されており、コイル１２０に電力を供給する。また、無接点充電器１は、複数の送電回路１１１〜１１４に対して順番を表す識別番号を対応付けることにより、これらの複数の送電回路１１１〜１１４を管理している。以下では、一例として、無接点充電器１が、送電回路１１１を１番目の送電回路、送電回路１１２を２番目の送電回路、送電回路１１３を３番目の送電回路、送電回路１１４を４番目の送電回路として管理しているものとして説明する。
【００１５】
コイル１２０は、複数の送電回路１１１〜１１４によって共用される。コイル１２０は、筐体１００の主面１４０に載置された移動体端末２に対して、電力を送信する。また、コイル１２０は、主面１４０に載置された移動体端末２から送られてくる信号を受信する。
【００１６】
プラグ１３０は、建物に備え付けられた商用交流電源のコンセントに接続される。プラグ１３０によって、筐体１００内の各部に電力が供給される。
【００１７】
移動体端末２は、筐体１００の主面１４０に載置されることによって、無接点充電器１によって充電される。詳しくは、移動体端末２のバッテリ２６０（図３参照）は、コイル１２０から送信される電力によって充電される。また、移動体端末２は、基地局との通信に用いるアンテナ２９０を有する。
【００１８】
詳細については後述するが、無接点充電器１は、複数の送電回路１１１〜１１４のうちのいずれか１つの送電回路を選択的に駆動させることができる。たとえば、ある局面においては、無接点充電器１は送電回路１１１を駆動し、他の局面においては、無接点充電器１は、複数の送電回路１１２〜１１４のいずれかを駆動する。すなわち、コイル１２０は、複数の送電回路１１１〜１１４のうちから選択された１つの送電回路から電力の供給を受ける。
【００１９】
ところで、図１の状態では、移動体端末２のアンテナ２９０は、ノイズの発生源である送電回路１１４の近くに位置することになる。このような状態で、仮に、送電回路１１４がコイル１２０に電力を供給すると、移動体端末２における基地局からの信号の受信品質が低下してしまう。そのため、図１の状態では、移動体端末２の充電のために、送電回路１１４を使用（駆動）することは好ましくない。移動体端末２の充電のためには、送電回路１１４よりも他の送電回路１１１〜１１３を使用することが好ましい。
【００２０】
より詳しくは、移動体端末２は、複数の送電回路１１１〜１１４のうち基地局から送られてくる信号の受信品質が最も良くなる（すなわち、信号の劣化が最も少ない）送電回路からコイル１２０に電力が供給されている状態で、充電されることが望ましい。換言すれば、無接点充電器１は、移動体端末２における受信品質が最も良くなる送電回路を駆動することが望ましい。以下では、このような構成を実現するための構成について、具体例を挙げて説明する。
【００２１】
図２は、無接点充電器１のハードウェア構成を表したブロック図である。図２を参照して、無接点充電器１は、複数の送電回路１１１〜１１４と、コイル１２０と、プラグ１３０と、電源制御回路１５０と、送電制御回路１６０とを備える。送電制御回路１６０は、メモリ１６１を有している。
【００２２】
電源制御回路１５０は、商用交流電源からプラグ１３０を介して供給される商用周波数の交流電力を直流電力に変換する。電源制御回路１５０は、複数の送電回路１１１〜１１４に、直流電力を供給する。また、電源制御回路１５０は、送電制御回路１６０にも直流電力を供給する。
【００２３】
送電制御回路１６０は、複数の送電回路１１１〜１１４に接続されている。送電制御回路１６０は、複数の送電回路１１１〜１１４の各々を個別に駆動させる制御を行なう。すなわち、送電制御回路１６０は、複数の送電回路１１１〜１１４のうちの１つの送電回路（たとえば、ある局面では送電回路１１１）のみを駆動させる。
【００２４】
送電制御回路１６０は、典型的には、移動体端末２からの制御命令に基づき、駆動させる送電回路を決定する。ただし、これに限定されず、送電制御回路１６０は、駆動させる送電回路を自身で決定してもよい。
【００２５】
送電制御回路１６０のメモリ１６１には、移動体端末２から送信されてきたデータ（たえば、制御命令）が、駆動している送電回路を介して格納される。また、詳細については後述するが、メモリ１６１には、移動体端末２において測定された受信品質が、送電回路１１１〜１１４毎に対応付けて格納されてもよい。
【００２６】
図３は、移動体端末２の機能的構成およびハードウェア構成を説明するためのブロック図である。図３を参照して、移動体端末２は、制御部２１０と、記憶部２２０と、コイル２３０と、受電回路２４０と、充電回路２５０と、バッテリ２６０と、電源制御回路２７０と、通信処理部２８０と、アンテナ２９０とを備える。制御部２１０は、検出部２１１と、特定部２１２とを含む。
【００２７】
制御部２１０は、典型的には、移動体端末２のＣＰＵが、オペレーションシステム上で各種のプログラムを実行することにより実現される。記憶部２２０は、典型的には、ＲＯＭ（Read Only Memory）、ＲＡＭ（Random Access Memory）、フラッシュメモリ等により構成される。通信処理部２８０は、通信ＩＦ（Inter Face）であって、典型的には、ベースバンド回路、ＲＦ（Radio Frequency）回路等により構成される。以下、各部の機能について説明する。
【００２８】
制御部２１０は、移動体端末２の全体の動作を制御する。記憶部２２０は、オペレーションシステム、各種のアプリケーションプログラム、データを格納しており、制御部２１０によって、データの書き込みおよびデータの読み出しが行われる。
【００２９】
通信処理部２８０は、制御部２１０からの命令に基づき、アンテナ２９０を介して、データを基地局に送信する。また、通信処理部２８０は、アンテナ２９０を介して受信したデータを制御部２１０に送る。
【００３０】
電源制御回路２７０は、バッテリ２６０に蓄えられた電力（正確には電荷）を、移動体端末２内の各ブロックに供給する。
【００３１】
受電回路２４０は、充電回路２５０と、コイル２３０とに接続されている。受電回路２４０は、コイル２３０を介して、無接点充電器１から送信されてくる電力を受電する。詳しくは、受電回路２４０は、コイル２３０を用いて、無接点充電器１のいずれかの送電回路が駆動されることによってコイル１２０から送電された電力を受電する。受電回路２４０は、受信した電力を充電回路２５０に送る。正確には、受電回路２４０は、無接点充電器１のコイル１２０を１次コイル、移動体端末２のコイル２３０を２次コイルとした電磁誘導によって発生した誘導起電力（誘導電流）を充電回路２５０に送る。
【００３２】
充電回路２５０は、受電回路２４０から送られてきた誘導起電力によって、バッテリ２６０を充電する。
【００３３】
移動体端末２が、無接点充電器１に対して、制御命令等のデータを送信する場合には、受電回路２４０およびコイル２３０を用いる。具体的には、制御部２１０が、送信するデータを受電回路２４０に送り、受電回路２４０がコイル２３０を介して無接点充電器１に当該データを送信する。
【００３４】
次に、制御部２１０における検出部２１１と特定部２１２とについて説明する。
検出部２１１は、基地局から送信される電波の受信品質を検出（測定）する。
【００３５】
特定部２１２は、移動体端末２が無接点充電器１に載置されている状態でコイル１２０に対して複数の送電回路１１１〜１１４の各々から個別に電力が供給されたことに基づき、複数の送電回路１１１〜１１４のうちから、受信品質が最も高くなったときにコイル１２０に対して電力を供給していた送電回路を特定する。
【００３６】
移動体端末２は、上記特定が行われた後は、コイル１２０に対する電力を上記特定された送電回路に供給させる。詳しくは、移動体端末２の制御部２１０は、無接点充電器１に制御命令を送信することによって、受信品質が最も高くなったときにコイル１２０に対して電力を供給していた送電回路を駆動させるための制御を行なう。
【００３７】
このような処理により、移動体端末２は、複数の送電回路１１１〜１１４のうち受信品質が最も高い（すなわち、受信品質の劣化が最も少ない）送電回路を用いて、バッテリ２６０を充電することが可能となる。それゆえ、移動体端末２は、充電中であっても基地局から送られてくる信号の受信品質の低下を軽減することが可能となる。その結果、移動体端末２は、途中で充電を中断しなくてもよくなる。よって、移動体端末２は、受信品質の低下を軽減することにより、途中で充電を中断するような従来の構成に比べて充電時間を短縮することが可能となる。
【００３８】
なお、上記においては、無接点充電器１の充電方式として、電磁誘導方式を例に挙げて説明したが、これに限定されるものではない。充電方式は、たとえば、電波受信方式、磁界共鳴方式であってもよい。
【００３９】
図４は、移動体端末２における処理の流れを説明するためのフローチャートである。図４を参照して、ステップＳ２において、移動体端末２（詳しくは、ＣＰＵ）は、移動体端末２が無接点充電器１（詳しくは、主面１４０）に載置されているか否かを判断する。
【００４０】
具体的には、送電制御回路１６０は、間欠的にコイル１２０に交流電流を供給することによってコイル１２０を励磁する。これにより、コイル１２０から電波が送信される。受電回路２４０は、前述の電波を受信したとき、コイル２３０に負荷を接続した接続状態と、コイル２３０に負荷を接続しない非接続状態との間で切替処理を行なう。当該接続状態にあるときには、コイル２３０と磁気結合するコイル１２０から見たインピーダンスが非接続状態のときよりも増加する。それゆえ、コイル１２０に供給される電流が変化する。送電制御回路１６０は、当該電流の変化を通じて主面１４０に移動端末帯２が載置されているか否かを判断する。以上により、移動体端末２は、無接点充電器１に載置されているか否かを判断することができる。
【００４１】
ステップＳ４において、移動体端末２は、送電回路の個数（ｎ）を無接点充電器１から取得する。たとえば、移動体端末２は、無接点充電器１から「ｎ＝４」との情報を取得する。なお、移動体端末２が予め当該個数を記憶している場合、当該取得処理は不要である。
【００４２】
ステップＳ６において、移動体端末２は、基地局から送られてくる電波を受信可能であるか否かを判断する。具体的には、移動体端末２は、基地局から送られてくる電波の受信品質が、予め定められた値以上か否かを判断する。
【００４３】
移動体端末２は、基地局からの電波を受信不能であると判断した場合（ステップＳ６においてＮＯ）、ステップＳ２４において、複数の送電回路１１１〜１１４のうち所定の送電回路を駆動させることによって、バッテリ２６０を充電する。たとえば、移動体端末２は、駆動させる送電回路を特定するための通知を無接点充電器１に送信することによって当該送電回路を駆動させてもよい。
【００４４】
あるいは、移動体端末２が所定の通知を無接点充電器１に送ることにより、無接点充電器１が駆動する送電回路を決定（選択）してもよい。たとえば、無接点充電器１は、複数の送電回路１１１〜１１４のうち、メモリ１６１に予め記憶されている番号の送電回路（典型的には、デフォルトの送電回路）を駆動してもよい。
【００４５】
移動体端末２は、基地局からの電波を受信可能であると判断した場合（ステップＳ６においてＹＥＳ）、ステップＳ８において、予め規定された変数ｋの値を１とする。ステップＳ１０において、移動体端末２は、ｋ番目の送電回路のみを駆動させるための通知（典型的には、制御命令）を、無接点充電器１に対して送信する。
【００４６】
ステップＳ１２において、移動体端末２は、基地局からの電波の受信品質（Ｓｋ）を検出する。ステップＳ１４において、移動体端末２は、Ｓｋが閾値Ｓｔｈ以上であるか否かを判断する。閾値Ｓｔｈ以上であると判断された場合（ステップＳ１４においてＹＥＳ）、ステップＳ２６において、ｋ番目の送電回路を駆動させるための通知（典型的には、制御命令）を無接点充電器１に対して送信することによって、バッテリ２６０を充電する。
【００４７】
閾値Ｓｔｈ以上ではないと判断された場合（ステップＳ１４においてＮＯ）、ステップＳ１６において、移動体端末２は、変数ｋの値をインクリメントする。すなわち、移動体端末２は、変数ｋの値を１だけ増加させる。ステップＳ１８において、移動体端末２は、変数ｋの値が、無接点充電器１における送電回路の個数（ｎ）よりも大きいか否かを判断する。ｋがｎ以下であると判断された場合（ステップＳ１８においてＮＯ）、移動体端末２は、処理をステップＳ１０に戻す。
【００４８】
ｋがｎよりも大きいと判断された場合（ステップＳ１８においてＹＥＳ）、ステップＳ２０において、移動体端末２は、受信品質Ｓ１，…，Ｓｎにおける最大値を得たときの送電回路を特定する。すなわち、移動体端末２は、受信品質が最も高くなったときにコイル１２０に対して電力を供給していた送電回路を特定する。つまり、移動体端末２は、充電に用いる送電回路を特定する。
【００４９】
ステップＳ２２において、移動体端末２は、特定された送電回路のみを駆動させるための通知を、無接点充電器１に対して送信する。詳しくは、移動体端末２は、上記特定が行われたことに基づき、受信品質が最も高くなったときに電力を供給していた送電回路に電力を再度供給させるための通知を、無接点充電器１に対して送信する。これにより、移動体端末２は、以後、特定された送電回路の駆動によって発生する電力によって、バッテリ２６０を充電することが可能となる。
【００５０】
＜小括＞
（１）以上のように、移動体端末２は、（i）移動体端末２と通信可能な基地局（通信機器）から送信される電波の受信品質を検出する検出部２１１と、（ii）移動体端末２が無接点充電器１に載置されている状態でコイル１２０に対して複数の送電回路１１１〜１１４の各々から個別に電力が供給されたことに基づき、複数の送電回路１１１〜１１４のうちから、受信品質が最も高くなったときにコイル１２０に対して電力を供給していた送電回路を特定する特定部２１２とを備える。移動体端末２は、上記特定が行われた後は、コイル１２０に対する電力を上記特定された送電回路から供給させる。
【００５１】
当該構成によれば、充電中であっても基地局等の通信機器から送られてくる信号の受信品質の低下を軽減することが可能となる。その結果、移動体端末２は、途中で充電を中断しなくてもよくなる。よって、移動体端末２は、受信品質の低下を軽減するために途中で充電を中断するような従来の構成に比べて、充電時間を短縮することが可能となる。
【００５２】
（２）詳しくは、移動体端末２は、上記特定を行なうために、複数の送電回路１１１〜１１４の各々から個別に電力を供給させるための通知（第１の通知）を、無接点充電器１に対して送信する。移動体端末２は、上記特定が行われたことに基づき、受信品質が最も高くなったときに電力を供給していた送電回路に電力を再度供給させるための通知（第２の通知）を、無接点充電器１に対して送信する。
【００５３】
（３）図４におけるステップＳ１４の処理に着目すると以下のとおりである。特定部２１２は、コイル１２０に対して最後の順の送電回路（たとえば、４番目の送電回路）から電力が供給されるまでに予め定められた値（閾値Ｓｔｈ）以上の受信品質が検出されていないことを条件に、上位特定を行なう。移動体端末２は、予め定められた値以上の受信品質が検出された後には、コイル１２０に対する電力を、予め定められた値以上の受信品質が検出されたときにコイル１２０に対して電力を供給していた送電回路に供給させる。
【００５４】
最後の順の送電回路（たとえば、送電回路１１４）に電力を供給させる前に予め定められた値以上の受信品質が検出された場合には、移動体端末２は、残りの送電回路（たとえば、送電回路１１３，１１４）に電力を供給させる必要はない。当該予め定められた値以上の受信品質を検出したときに駆動していた送電回路を用いて充電を行なったとしても、十分な受信品質が確保されているためのである。それゆえ、上記構成によれば、充電に用いる送電回路を迅速に決定することが可能となる。
【００５５】
（４）無接点充電器１については、以下のとおりである。無接点充電器１は、送電制御回路１６０と、複数の送電回路１１１〜１１４と、複数の送電回路１１１〜１１４によって共用されるとともに、複数の送電回路１１１〜１１４のうちから送電制御回路１６０によって選択された１つの送電回路から電力の供給を受ける送電用のコイル１２０とを備える。送電制御回路１６０は、移動体端末２からの通知に基づき、複数の送電回路１１１〜１１４のうちから移動体端末２の充電に使用する送電回路を選択する。選択された送電回路は、コイル１２０に対して電力を供給する。移動体端末２は、このような構成の無接点充電器１を利用することによって、充電中であっても基地局等の通信機器から送られてくる信号の受信品質の低下を軽減可能となる。
【００５６】
＜変形例＞
上記においては、図４のステップＳ２０における特定処理を移動体端末２が行なう場合を例に挙げて説明したが、これに限定されるものではない。当該特定処理を無接点充電器１が行ってもよい。この場合、上記特定処理を行なうために、移動体端末２から受信品質Ｓｋの通知を受信するように、無接点充電器１を構成すればよい。なお、この点は、後述する実施の形態２における変形例の構成においても同様である。
【００５７】
［実施の形態２］
本実施の形態では、無接点充電器が主面における移動体端末２の位置を検知する構成について説明する。また、実施の形態１とは異なり、後述する変形例を除き、本実施の形態に係る移動体端末２は、複数の送電回路のうちから充電に用いる送電回路を特定する処理を行なわない。つまり、移動体端末２は、各送電回路を用いたときの受信品質の測定（図４のステップＳ１２）および受信品質の比較に基づく特定処理（図４のステップＳ２０）を行なわない。
【００５８】
図５は、本実施の形態に係る無接点充電器１Ａの使用方法を示す平面図である。図５を参照して、無接点充電器１Ａは、複数の送電回路１１１，１１２，１１３，１１４と、コイル１２０と、プラグ１３０と、複数のコイル７２０１〜７２１２とを備えている。
【００５９】
複数のコイル７２０１〜７２１２は、移動体端末２の主面１４０における位置を検出するために利用される。複数のコイル７２０１〜７２１２は、典型的には、マトリクス状に配置されている。なお、複数のコイル７２０１〜７２１２は等間隔に並んでいることが好ましい。
【００６０】
詳しくは、複数のコイル７２０１〜７２１２の各々は、スパイラルコイルである。各コイル７２０１〜７２１２は、各軸線が主面１４０と直交するように、筐体１００内に設置されている。
【００６１】
また、コイル７２０１〜７２１２は、互いに異なる電圧検出回路に接続されている（図６）。コイル７２０１〜７２１２は、コイル１２０から放出される電磁波、およびコイル１２０の励磁に応じて電流が誘起された移動体端末２のコイル２３０から放出される電磁波により、電流を誘起する。
【００６２】
なお、図５中の破線で示された移動体端末２（主面１４０の左上部に載置されている移動体端末）については、後述する変形例で説明する。
【００６３】
図６は、無接点充電器１Ａのハードウェア構成を表したブロック図である。図６を参照して、無接点充電器１Ａは、複数の送電回路１１１〜１１４と、コイル１２０と、プラグ１３０と、電源制御回路１５０と、送電制御回路１６０Ａと、信号出力回路１７０とを備える。送電制御回路１６０Ａは、メモリ１６１と、検出回路１６２を有している。
【００６４】
信号出力回路１７０は、複数の電圧検出回路７１０１〜７１１２と、複数のコイル７２０１〜７２１２とを備える。複数のコイル７２０１〜７２１２の各々には、それぞれ、１つの検圧検出回路が接続されている。たとえば、コイル７２０１には電圧検出回路７１０１が接続されている。
【００６５】
複数の電圧検出回路７１０１〜７１１２は、各々が接続されたコイルに生じる電圧を検出する。複数の電圧検出回路７１０１〜７１１２は、各々が検出した検出結果（電圧値）を表す信号を送電制御回路１６０Ａに送信する。無接点充電器１Ａは、１２個の電圧検出回路７１０１〜７１１２を有するため、送電制御回路１６０Ａには、同時に１２個の検出結果を表す信号が入力される。
【００６６】
ここで、主面１４０に移動体端末２を載置したときに電圧検出回路７１０１〜７１１２の各々で検出される電圧は、複数のコイル７２０１〜７２１２のうち移動体端末２のコイル２３０に近いものほど、主面１４０に移動体端末２を載置していないときに検出される電圧との差が大きくなる。
【００６７】
この原理を利用して、送電制御回路１６０Ａの検出回路１６２は、複数の電圧検出回路７１０１〜７１１２によって検出された電圧値に基づいて、主面１４０における移動体端末２の位置を検出する。具体的には、検出回路１６２は、１２個のコイル７２０１〜７２１２のうちのどのコイルに近いかを判定し、判定されたコイルの位置を移動体端末２の位置と推定する。たとえば、図５の場合、検出回路１６２は、移動体端末２の位置をコイル７２０４，７２０７の位置と推定する。
【００６８】
送電制御回路１６０Ａは、検出回路１６２によって検出された移動体端末２の位置から最も離れた送電回路を駆動することにより、移動体端末２を充電する。たとえば、図５の場合、複数の送電回路１１１〜１１４のうち、送電回路１１２がコイル７２０４，７２０７からもっと離れている。そこで、送電制御回路１６０Ａは、送電回路１１２を駆動させる。なお、送電制御回路１６０Ａは、複数のコイル７２０１〜７２１２の各々の設置位置の情報と、複数の送電回路１１１〜１１４の各々の設置位置の情報を、メモリ１６１に予め格納している。
【００６９】
図７は、無接点充電器１Ａにおける処理の流れを説明するためのフローチャートである。図７を参照して、ステップＳ１０２において、無接点充電器１Ａ（正確には、送電制御回路１６０Ａ）は、移動体端末２が無接点充電器１Ａ（詳しくは、主面１４０）に設置されたか否かを判断する。
【００７０】
具体的には、送電制御回路１６０Ａは、間欠的にコイル１２０に交流電流を供給することによってコイル１２０を励磁する。これにより、コイル１２０から電波が送信される。受電回路２４０は、前述の電波を受信したとき、コイル２３０に負荷を接続した接続状態と、コイル２３０に負荷を接続しない非接続状態との間で切替処理を行なう。当該接続状態にあるときには、コイル２３０と磁気結合するコイル１２０から見たインピーダンスが非接続状態のときよりも増加する。それゆえ、コイル１２０に供給される電流が変化する。送電制御回路１６０Ａは、当該電流の変化を通じて主面１４０に移動端末帯２が載置されているか否かを判断する。以上により、移動端末帯２は、無接点充電器１Ａに載置されているか否かを判断できる。
【００７１】
ステップＳ１０４において、無接点充電器１Ａは、複数の電圧検出回路７１０１〜７１１２の各々が、対応するコイル７２０１〜７２１２に発生する電圧を検出する。
【００７２】
ステップＳ１０６において、複数の電圧検出回路７１０１〜７１１２は、検出結果を表す信号を送電制御回路１６０Ａに対して出力する。ステップＳ１０８において、送電制御回路１６０Ａは、主面１４０における移動体端末２の位置を検出する。なお、当該検出方法については、上述したので、ここでは繰り返し説明しない。
【００７３】
ステップＳ１１０において、送電制御回路１６０Ａは、複数の送電回路１１１〜１１４のうちから、上記検出された位置から最も離れた位置の送電回路を選択する。ステップＳ１１２において、送電制御回路１６０Ａは、上記選択された送電回路を動作させる。
【００７４】
＜小括＞
以上のように、無接点充電器１Ａは、（i）移動体端末２を載置するための主面１４０と、（ii）複数の送電回路１１１〜１１４と、（iii）複数の送電回路１１１〜１１４によって共用されるとともに、複数の送電回路１１１〜１１４のうちから選択された１つの送電回路から電力の供給を受ける送電用のコイル１２０と、（iv）送電用のコイル１２０に電力を供給するために複数の送電回路１１１〜１１４の各々を駆動させる送電制御回路（制御部）１６０Ａと、（v）移動体端末２が主面１４０に載置された場合に、移動体端末２の位置に応じた信号（検出結果を表す信号）を送電制御回路１６０Ａに出力する信号出力回路（出力部）１７０とを備える。
【００７５】
送電制御回路１６０Ａ（詳しくは、検出回路１６２）は、信号出力回路１７０からの出力に基づき、移動体端末２の位置を検出する。送電制御回路１６０Ａは、複数の送電回路１１１〜１１４のうち、上記検出された位置から最も離れた位置の送電回路を駆動させる。
【００７６】
上記の構成によれば、無接点充電器１Ａは、移動体端末２から最も離れた送電回路を駆動させるため、移動体端末２を充電中であっても基地局から送られてくる信号の受信品質の低下を軽減可能となる。
【００７７】
また、実施の形態１と比べた場合、実施の形態１のように移動体端末２は受信品質を検出する必要がない。したがって、無接点充電器１Ａによれば、実施の形態１の構成に比べて、複数の送電回路１１１〜１１４のうちから移動体端末２の充電に利用する送電回路を決定する処理が迅速になる。
【００７８】
＜変形例＞
（第１の変形例）
以下、本実施の形態において説明した送電回路の選択処理に対して、実施の形態１の選択処理を組み合わせた構成について説明する。再び、図５を参照して、破線で表した移動体端末２にとって、最も離れた位置にある送電回路は、送電回路１１２と送電回路１１３とである。すなわち、主面１４０における移動体端末２の載置位置次第では、移動体端末２から最も離れた送電回路が複数存在する場合も生じ得る。
【００７９】
この場合、無接点充電器１Ａは、最も離れた位置にある複数の送電回路のいずれかを選択すればよい。選択の仕方としては、たとえば、識別番号が小さい送電回路を選択するといった手法がある。また、実施の形態１で述べた受信品質を用いる方法もある。そこで、以下では、最も離れた位置にある複数の送電回路のうち、最も受信品質が高い送電回路を選択する手法について説明する。
【００８０】
図８は、無接点充電器１Ａの処理の流れを説明するためのフローチャートである。図８を参照して、ステップＳ２０２〜Ｓ２１０に示した各処理は、それぞれ、図７に示したステップＳ１０２〜Ｓ１１０に示した各処理と同じである。それゆえ、ここでは、ステップＳ２０２〜Ｓ２１０に示した各処理についての説明は繰り返さない。
【００８１】
ステップＳ２１２において、送電制御回路１６０Ａは、選択された送電回路の個数が複数か否かを判断する。選択された送電回路が１つであると判断された場合（ステップＳ２１２においてＮＯ）、ステップＳ２２２において、送電制御回路１６０Ａは、上記選択された送電回路を動作させる。つまり、送電制御回路１６０Ａは、図７におけるステップＳ１１２と同様の処理を行なう。
【００８２】
選択された送電回路の個数が複数（以下、ｍ個）であると判断された場合（ステップＳ２１２においてＹＥＳ）、ステップＳ２１４において、送電制御回路１６０Ａは、いずれかの送電回路とコイル１２０とを利用して、選択されたｍ個の送電回路の識別情報（たとえば、上述した識別番号）を、移動体端末２に送信する。たとえば、上述したように、移動体端末２から最も離れた位置にある送電回路が送電回路１１２と送電回路１１３とであった場合、２個の送電回路１１２，１１３の番号である、２番と３番とを移動体端末２に通知する。
【００８３】
ステップＳ２１６において、送電制御回路１６０Ａは、移動体端末２から送られてくる通知に基づき、選択された複数の送電回路（すなわち、移動体端末２から最も離れた位置にある複数の送電回路）を個別に動作させる。ステップＳ２１８において、送電制御回路１６０Ａは、いずれかの送電回路およびコイル１２０によって、移動体端末２によって特定された１個の送電回路のみを駆動させるための通知を、移動体端末２から受信する。ステップＳ２２０において、送電制御回路１６０Ａは、上記通知に基づき、移動体端末２によって特定された送電回路を駆動させる。
【００８４】
図９は、移動体端末２の処理の流れを説明するためのフローチャートである。図９を参照して、ステップＳ３０４において、移動体端末２（詳しくは、ＣＰＵ）は、無接点充電器１Ａから、ｍ個の送電回路の識別情報を受信する。
【００８５】
ステップＳ３０６において、移動体端末２は、基地局から送られてくる電波を受信可能であるか否かを判断する。具体的には、移動体端末２は、基地局から送られてくる電波の受信品質が、予め定められた値以上か否かを判断する。
【００８６】
移動体端末２は、基地局からの電波を受信不能であると判断した場合（ステップＳ３０６においてＮＯ）、ステップＳ３２４において、選択されたｍ個の送電回路のうちのいずれかの送電回路を駆動させることによって、バッテリ２６０を充電する。たとえば、移動体端末２は、駆動させる送電回路を特定するための通知を無接点充電器１Ａに送信することによって当該送電回路を駆動させればよい。
【００８７】
移動体端末２は、基地局からの電波を受信可能であると判断した場合（ステップＳ３０６においてＹＥＳ）、ステップＳ３０８において、予め規定された変数ｊの値を１とする。ステップＳ３１０において、移動体端末２は、ｍ個の送電回路のうちのｊ番目の送電回路のみを駆動させるための通知を、無接点充電器１Ａに対して送信する。
【００８８】
ステップＳ３１２において、移動体端末２は、基地局からの電波の受信品質（Ｓｊ）を検出する。ステップＳ３１４において、移動体端末２は、Ｓｊが閾値Ｓｔｈ以上であるか否かを判断する。閾値Ｓｔｈ以上であると判断された場合（ステップＳ３１４においてＹＥＳ）、ステップＳ３２６において、ｊ番目の送電回路を駆動させるための通知を無接点充電器１Ａに対して送信することによって、バッテリ２６０を充電する。
【００８９】
閾値Ｓｔｈ以上ではないと判断された場合（ステップＳ３１４においてＮＯ）、ステップＳ３１６において、移動体端末２は、変数ｊの値をインクリメントする。すなわち、移動体端末２は、変数ｊの値を１だけ増加させる。ステップＳ３１８において、移動体端末２は、変数ｊの値が、選択された送電回路の個数（ｍ）よりも大きいか否かを判断する。ｊがｍ以下であると判断された場合（ステップＳ３１８においてＮＯ）、移動体端末２は、処理をステップＳ３１０に戻す。
【００９０】
ｋがｍよりも大きいと判断された場合（ステップＳ３１８においてＹＥＳ）、ステップＳ３２０において、移動体端末２は、受信品質Ｓ１，…，Ｓｍにおける最大値を得たときの送電回路を特定する。すなわち、移動体端末２は、受信品質が最も高くなったときにコイル１２０に対して電力を供給していた送電回路を特定する。つまり、移動体端末２は、充電に用いる送電回路を特定する。
【００９１】
ステップＳ３２２において、移動体端末２は、特定された送電回路のみを駆動させるための通知を、無接点充電器１Ａに対して送信する。詳しくは、移動体端末２は、上記特定が行われたことに基づき、受信品質が最も高くなったときに電力を供給していた送電回路に電力を再度供給させるための通知を、無接点充電器１Ａに対して送信する。これにより、移動体端末２は、以後、特定された送電回路の駆動によって発生する電力によって、バッテリ２６０を充電することが可能となる。
【００９２】
上記の構成によれば、移動体端末２から最も離れた送電回路が複数存在する場合において、当該複数の送電回路から、移動体端末２にとって最も充電に適した位置にある送電回路を用いて移動体端末２を充電することが可能となる。また、実施の形態１のように全ての送電回路を個別に駆動したときの受信品質を検出する必要がないため、実施の形態１の構成よりも充電に用いる送電回路の選択処理が迅速なる。
【００９３】
（第２の変形例）
実施の形態２では、主面１４０における移動体端末２の位置を検出するための信号出力回路１７０が、複数のコイル７２０１〜７２１２と、複数の電圧検出回路７１０１〜７１１２とを備える構成を例に挙げて説明したが、これに限定されるものではない。
【００９４】
信号出力回路１７０を、複数のコイル７２０１〜７２１２および複数の電圧検出回路７１０１〜７１１２の代わりに、複数の照度センサあるいは複数の近接センサ等の複数のセンサを備えるように構成してもよい。
【００９５】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【００９６】
１，１Ａ  無接点充電器、２  移動体端末、１００  筐体、１１１〜１１４  送電回路、１２０，２３０，７２０１〜７２１２  コイル、１３０  プラグ、１４０  主面、１５０，２７０  電源制御回路、１６０，１６０Ａ  送電制御回路、１６１  メモリ、１６２  検出回路、１７０  信号出力回路、２１０  制御部、２１１  検出部、２１２  特定部、２２０  記憶部、２４０  受電回路、２５０  充電回路、２６０  バッテリ、２８０  通信処理部、２９０  アンテナ、７１０１〜７１１２  電圧検出回路。
【図１】
0006525730.tif 000002
【図２】
0006525730.tif 000003
【図３】
0006525730.tif 000004
【図４】
0006525730.tif 000005
【図５】
0006525730.tif 000006
【図６】
0006525730.tif 000007
【図７】
0006525730.tif 000008
【図８】
0006525730.tif 000009
【図９】
0006525730.tif 000010